(57)【特許請求の範囲】
【請求項１】
ゲート通過のたびに所定ポイントがカードから減算されるカード式のゲート制御装置において、
カード使用毎にポイントを減算し、カードに累積減算ポイントとして記憶する減算ポイント記憶手段と、
カードが同日に使用されたことを判定する同日判定手段と、
減算限度ポイントを記憶する限度ポイント記憶手段と、
累積減算ポイントが所定の減算限度ポイント以上になったとき、同日のゲート通過に対してポイント減算なしにゲート通過を許可する制御手段と
を備えたことを特徴とするゲート制御装置。
【請求項２】
請求項１記載のゲート制御装置において、
累積減算ポイントが所定の減算限度ポイント未満の場合、減算限度ポイントと累計減算ポイントの差がゲート通過時の所定減算ポイントより少ないときは、累積減算ポイントが所定の減算限度ポイントに等しくなるようにポイント数を減算することを特徴とするゲート制御装置。
【請求項３】
請求項１のゲート制御装置において、
ゲート通過回数を計数するゲート通過回数計数手段を備え、
累積減算ポイントに代えて累積ゲート通過回数とし、かつ、減算限度ポイントに代えてゲート通過限度数とすることを特徴とするゲート制御装置。
【請求項４】
ゲート通過のたびに所定ポイントがカードから減算されるカード式のゲート制御装置において、
カード使用毎にポイントを減算し、カードに累積減算ポイントとして記憶する減算ポイント記憶手段と、
カードが同日に使用されたことを判定する同日判定手段と、
減算限度ポイントを記憶する限度ポイント記憶手段と、
累積減算ポイントが所定の減算限度ポイント以上になったとき、同日のゲート通過に対して初回だけおまけポイントを加算する制御手段と
を備えたことを特徴とするゲート制御装置。
【請求項５】
請求項４記載のゲート制御装置において、
ゲート通過回数を計数するゲート通過回数計数手段を備え、
累積減算ポイントに代えて累積ゲート通過回数とし、かつ、減算限度ポイントに代えてゲート通過限度数とすることを特徴とするゲート制御装置。
【請求項６】
ゲート通過のたびに所定ポイントがカードから減算されるカード式のゲート制御装置において、
カード使用毎にポイントを減算し、カードに累積減算ポイントとして記憶する減算ポイント記憶手段と、
カードが同日に使用されたことを判定する同日判定手段と、
減算限度ポイントを記憶する限度ポイント記憶手段と、
ゲート通過回数を計数するゲート通過回数計数手段と、
累積減算ポイントが所定の減算限度ポイント以上になったとき、同日のゲート通過に対してゲート通過回数に応じたポイントを減算する制御手段と
を備えたことを特徴とするゲート制御装置。
【請求項７】
請求項６記載のゲート制御装置において、
累積減算ポイントに代えて累積ゲート通過回数とし、かつ、減算限度ポイントに代えてゲート通過限度数とすることを特徴とするゲート制御装置。
【発明の詳細な説明】
【０００１】
【発明の属する技術分野】
この発明は、スキー場のリフトなどの施設で用いられる非接触カード式のゲート制御装置に関する。
【０００２】
【従来の技術】
従来、スキー場のリフト乗り場などには、ＩＣカードなどの非接触カードを用いたゲート装置が設置されている。このようなゲート装置では、スキーヤーはあらかじめ所定数のポイントが記憶されたカードを購入し、リフト搭乗の際、このカードを所持して搭乗口ゲートに接近する。カード接近をゲート装置側が検知すると、無線通信により所定データが送受され、ゲートを通過するたびに各ゲートに固有の減算ポイントがカードから減算され、カードの残ポイントが所定数以上あればゲート通行扉を開けて通行を許可する。
【０００３】
このようなカードには、「一日券」や「回数券」などの券種があり、前者は同じカードを使って何回でもリフトを利用できるが有効期間は１日だけのカードであり、後者はカードの所定ポイント数までしか利用できないが残ポイント分は後日にも利用できるカードである。
【０００４】
【発明が解決しようとする課題】
従来のゲート制御装置には次の問題がある。
一般にスキー場では、上述の「一日券」と「回数券」とが売上の大半を占めている。どちらの券種を購入するかはスキーヤーのスキー技術や体力などの要因で決まるが、一般的には割安感のある「一日券」のほうが多く購入される。
【０００５】
ところが、スキー場が混雑していると「一日券」の利用回数が制限されるため、次回でも使える「回数券」のほうが利用者にとって得になる場合があり、このようなときは「一日券」の利用者は損をした気分になることがある。
【０００６】
一方、「一日券」は同日の利用終了時刻まで利用できるので、午前中だけ利用した帰り客のスキーヤーが、午後だけ利用したいスキーヤーにカードを転売できる。このため、「一日券」の販売数が減り、スキー場経営者側からみると収益悪化を招くおそれがあった。なお、他日にも利用できる「回数券」は残ポイントが確認しにくいので転売されることは少ない。
【０００７】
このような不都合が発生する原因は、カードの利用環境や条件によって「一日券」と「回数券」の得失が違ってくるからである。
この発明の課題は、カードを用いたゲート制御装置において、「一日券」と「回数券」の利点を兼ね備えた制御とすることである。
【０００８】
【課題を解決するための手段】
発明１によるゲート制御装置は、ゲート通過のたびに所定ポイントがカードから減算されるカード式のゲート制御装置において、カード使用毎にポイントを減算し、カードに累積減算ポイントとして記憶する減算ポイント記憶手段と、カードが同日に使用されたことを判定する同日判定手段と、減算限度ポイントを記憶する限度ポイント記憶手段と、累積減算ポイントが所定の減算限度ポイント以上になったとき、同日のゲート通過に対してポイント減算なしにゲート通過を許可する制御手段とを備える。
【０００９】
これにより、他日も利用できる「回数券」を所定の累積減算ポイント以上利用すると同日中は「一日券」となりフリーに利用できるので、「一日券」と「回数券」の利点を兼ね備えた制御が行われる。
【００１０】
発明２によるゲート制御装置は、発明１のゲート制御装置において、累積減算ポイントが所定の減算限度ポイント未満の場合、減算限度ポイントと累計減算ポイントの差がゲート通過時の所定減算ポイントより少ないときは、累積減算ポイントが所定の減算限度ポイントに等しくなるようにポイント数を減算する。
これにより、所定の減算限度数を超えることなく、「一日券」と「回数券」の利点を兼ね備えた制御が行われる。
【００１１】
発明３によるゲート制御装置は、発明１のゲート制御装置において、ゲート通過回数を計数するゲート通過回数計数手段を備え、累積減算ポイントに代えて累積ゲート通過回数とし、かつ、減算限度ポイントに代えてゲート通過限度数とする。
【００１２】
これにより、「回数券」を所定回数以上ゲート通過すると同日中は「一日券」となりフリーに利用できるので、「一日券」と「回数券」の利点を兼ね備えた制御が行われる。
【００１３】
発明４によるゲート制御装置は、ゲート通過のたびに所定ポイントがカードから減算されるカード式のゲート制御装置において、カード使用毎にポイントを減算し、カードに累積減算ポイントとして記憶する減算ポイント記憶手段と、カードが同日に使用されたことを判定する同日判定手段と、減算限度ポイントを記憶する限度ポイント記憶手段と、累積減算ポイントが所定の減算限度ポイント以上になったとき、同日のゲート通過に対して初回だけおまけポイントを加算する制御手段とを備える。
これにより、「回数券」を所定の累積減算ポイント以上利用するとおまけのポイントが加算されるので利用者は得した気分になりカードが買われ易くなる。
【００１４】
発明５によるゲート制御装置は、発明４のゲート制御装置において、ゲート通過回数を計数するゲート通過回数計数手段を備え、累積減算ポイントに代えて累積ゲート通過回数とし、かつ、減算限度ポイントに代えてゲート通過限度数とする。
これにより、「回数券」を所定回数以上ゲート通過すると、おまけのポイントが加算されるので利用者は得した気分になりカードが買われ易くなる。
【００１５】
発明６によるゲート制御装置は、ゲート通過のたびに所定ポイントがカードから減算されるカード式のゲート制御装置において、カード使用毎にポイントを減算し、カードに累積減算ポイントとして記憶する減算ポイント記憶手段と、カードが同日に使用されたことを判定する同日判定手段と、減算限度ポイントを記憶する限度ポイント記憶手段と、ゲート通過回数を計数するゲート通過回数計数手段と、累積減算ポイントが所定の減算限度ポイント以上になったとき、同日のゲート通過に対してゲート通過回数に応じたポイントを減算する制御手段とを備える。
これにより、ゲート通過回数が多くなるとゲート通過時の減算ポイントを少なくでき、「一日券」と「回数券」の利点を兼ね備えた制御が行われる。
【００１６】
発明７によるゲート制御装置は、発明６のゲート制御装置において、累積減算ポイントに代えて累積ゲート通過回数とし、かつ、減算限度ポイントに代えてゲート通過限度数とする。
これにより、「回数券」を所定回数以上ゲート通過すると、ゲート通過時の減算ポイントを少なくでき、「一日券」と「回数券」の利点を兼ね備えた制御が行われる。
【００１７】
【発明の実施の形態】
図１は、この発明の一実施の形態を示す構成図である。
このゲート制御装置は、スキーヤーがゲート通過時に所持する「回数券」（パス）などのカード１と、このカード１と所定データを送受してゲート制御するゲート装置部２とで構成される。このゲート装置部２は、通常、通路を構成するゲート本体（図示していない）に内蔵される。
【００１８】
カード１は、ＩＣカードなどの非接触カードであり、カードのポイント数などのデータを記憶する記憶領域やゲート装置部２と無線などの通信手段によりデータ通信を行う通信機能部（いずれも図示していない）を備えている。
【００１９】
ゲート装置部２は、ゲート装置全体を制御する主制御部３と、これに接続される次の機能部とで構成される。すなわち、アンテナ（図示していない）を介してカード１とゲート装置部２とのデータ通信を行う通信機能部４、後記する種々のデータや制御プログラムを格納する記憶部５、時刻を計時する時計部６、種々の設定データを設定入力するキーボードなどのデータ入力部７、ゲート開閉扉（フラッパ）を制御するフラッパ部８、および、ゲート通行を検知するセンサ部９である。
【００２０】
図２は、上記カード１の記憶領域に記憶される主要データのフォーマット例を示す図である。カード１に記憶されるデータは、「回数券」や「一日券」などの券種に対応した券種、カード使用可否の基準となるポイント数、ゲート通過のたびに減算される所定減算ポイントの累積数を記憶した累積減算数、使用日付、およびカード有効期限などのデータである。
【００２１】
上記ポイント数の記憶領域には、利用可能なポイントがカード発行時に書き込まれ、ゲート通過のたびに各ゲートに設定の減算ポイントが減算された結果が記憶される。また、上記累積減算数の記憶領域には、ゲート通過時の減算ポイントの累積数が記憶され、カード利用時の日付が変わるとゼロクリアされる。
（１）発明１について
図３はこの発明によるゲート制御装置の主要動作を示すフローチャートである。図１、２を参照して動作を説明する。
【００２２】
まず、データ入力部７により、ゲート通過時の減算ポイントｃと、減算限度数（ポイント）ｄとをあらかじめ設定入力し、ゲート装置部２の記憶部５に記憶させておく（ステップＳ１、Ｓ２）。
【００２３】
カード１を所持したスキーヤーがゲート装置部２に接近すると、カード１は、ゲート装置部２の通信機能部４から、カードに記憶されたポイント数ａと累積減算数ｂなどのデータ送信要求を受け（ステップＳ３）、ゲート装置部２へデータ送信する（ステップＳ４）。
【００２４】
このデータを受信したゲート装置部２は、このカードが日付変更後初めて使用されたときは（ステップＳ５，分岐Ｙ）、カードに記憶されていた累積減算数ｂをゼロクリアし（ステップＳ６）、二度目以降の使用のときは（ステップＳ５，分岐Ｎ）そのまま、ステップＳ７へ進む。なお、日付変更の判断は、例えばカード１に記憶された使用日付とゲート装置部２の時計部６による日付の比較などによって判断する。
【００２５】
ステップＳ７では、累積減算数ｂが、ステップＳ２で設定された減算限度数ｄ以上かどうかを判断する。設定の減算限度数ｄ以上であれば（分岐Ｙ）、そのままゲート通行を許可する（ステップＳ１２）。つまり、以降は従来の「一日券」のようにポイント減算なしにフリーにゲート通過が許可される。なお、このフリーのゲート通過は、ステップＳ５とＳ６の動作により、当日内に限られることになる。
【００２６】
一方、ステップＳ７で累積減算数ｂが減算限度数ｄ未満のときは（分岐Ｎ）、通常の「回数券」と同様の処理が行われる。すなわち、残ポイント数ａがゲート通過時の減算ポイントｃ未満なら（ステップＳ８，分岐Ｎ）ゲート通過を禁止して（ステップＳ１３）、一連の動作を終了する。減算ポイント数以上残っているときは（ステップＳ８，分岐Ｙ）、現在の残ポイント数ａからゲート通過時減算ポイント数ｃを減算し（ステップＳ９）、現在の累積減算数ｂにゲート通過時の減算ポイントｃを加算し（ステップＳ１０）、更新されたこれらのデータをカード１へデータ送信し（ステップＳ１１）、ゲート通過を許可して（ステップＳ１２）、一連の動作を終了する。なお、図示していないが、ステップ１１で送信されたデータは、カード１で受信され、カード記憶領域のポイント数ａと累積減算数ｄとが更新される。
【００２７】
上述の動作の例として、カードの残ポイント数ａ＝４０ポイント、累積減算数ｂ＝１８、ゲート通過時の減算ポイントｃ＝３、減算限度数ｄ＝２０であった場合を説明する。このときは、ゲートを１回通過後のカードの各データは、残ポイント数ａ＝３７ポイント、累積減算数ｂ＝２１に更新される。したがって、同日の次回ゲート通過時以降は、累積減算数ｂが減算限度数ｄ以上となるので、ステップＳ７の判断によりゲート通行がフリーとなる。
【００２８】
以上の動作により、同日のゲート通過時の累積減算数が所定数を超えるとそれ以降はフリーにゲートを通過できるようになる。したがって、他日にも利用できる従来の「回数券」の利点は残したまま、フリーにゲート通過できる「一日券」の利点も備えたカードによるゲート制御装置となり、カードが購入し易くなり、前述した転売などによる収益悪化も防げる。
（２）発明２について
図４はこの発明によるゲート制御装置の主要動作を示すフローチャートである。
【００２９】
このフローチャートは、発明１のフローチャート（図３）において、ステップＳ８からＳ１１の間に、Ｓ９とＳ１０は残したまま、ステップＳ１４，Ｓ１５，Ｓ１６を図示のように挿入したものである。
【００３０】
すなわち、累積減算数ｂが減算限度数ｄに達していないとき（ステップＳ７，分岐Ｎ）、ポイント数ａがゲート通過時の減算ポイントｃ以上あることをチェック後（ステップＳ８，分岐Ｙ）、累積減算数ｂが、減算限度数ｄを超えないようなポイント数だけポイント数ａから減算するものである。
【００３１】
すなわち、ステップＳ１４において、累積減算数ｂとゲート通過時の減算ポイント数ｃとの和（ｂ＋ｃ）が減算限度数ｄ以下のときは（分岐Ｎ）、発明１と同様にポイント数減算と累積減算数を更新する（ステップＳ９、Ｓ１０）。しかし、減算限度数ｄを超えるときは（分岐Ｙ）、減算限度数ｄと累積減算数ｂの差（ｄ−ｂ）だけ、ポイント数ａを減算し（ステップＳ１５）、累積減算数ｂに加算する（ステップＳ１６）。その他の動作は発明１と同様である。
【００３２】
上述の動作の例として、カードの残ポイント数ａ＝４０ポイント、累積減算数ｂ＝１８、ゲート通過時の減算ポイントｃ＝３、減算限度数ｄ＝２０であった場合を説明する。このときは、ゲートを一回通過後のカードの各データは、残ポイント数ａ＝３８ポイント、累積減算数ｂ＝２０に更新される。
【００３３】
以上の動作により、累積減算数ｂがあらかじめ設定した減算限度数ｄを超えないようにしながら、同日のゲート通過時の累積減算数が所定数を超えるとそれ以降はフリーにゲートを通過できるようになる。特に、ゲート通過時の減算ポイント数がゲートによって異なる場合の対処としても有効である。
【００３４】
以上の動作により、発明１と同様に、カードが購入し易くなり、前述した転売などによる収益悪化も防げる。
（３）発明３について
図５はこの発明によるゲート制御装置の主要動作を示すフローチャートである。
【００３５】
この発明は、発明１において、累積減算数ｂの代りにゲート通過回数を累積した累積ゲート通過回数ｅとし、減算限度数ｄの代わりにゲート通過限度数ｆとしたものである。すなわち、この発明のフローチャートは、発明１のフローチャート（図３）において、ステップＳ２の減算限度数ｄをゲート通過限度数ｆとし、ステップＳ７とＳ１０の累積減算数ｂを累積ゲート通過回数ｅとし、また、ステップＳ１０の減算ポイントｃはゲートを１回通過するたびに１だけ増加させる。なおゲート通過回数はゲート通過のたびにステップＳ１１によりデータ送信されカードに記憶される。
【００３６】
すなわち、累積ゲート通過回数ｅがゲート通過限度数ｆに達していないときは（ステップＳ７，分岐Ｎ）、ポイント数ａを減算後（ステップＳ９）、累積ゲート通過回数ｅを１だけ加算し（ステップＳ１０）、カードデータが更新されるが（ステップＳ１１）、累積ゲート通過回数ｅがゲート通過限度数ｆに達したときは（ステップＳ７，分岐Ｙ）、発明１と同様に、同日はそれ以降の通行をフリー通行とする。なお、ゲートの通過回数はそのつどゲート装置部２からカード１にデータ送信され記憶されるようにする。その他の動作は発明１と同様である。
【００３７】
以上の動作により、同日の累積ゲート通過回数が所定数を超えるとそれ以降はフリーにゲートを通行できるようになる。したがって、発明１と同様に、カードが購入し易くなり、前述した転売などによる収益悪化も防げる。
（４）発明４について
図６はこの発明によるゲート制御装置の主要動作を示すフローチャートである。
【００３８】
発明１では累積減算数ｂが減算限度数ｄを越えるとフリー通行としたが（フローチャート図３のステップＳ７，分岐Ｙ）、この発明ではフリー通行の代わりにおまけとして当日１回に限り所定ポイント数Ａを加算するものである。
【００３９】
すなわち、この発明のフローチャートは、発明１のフローチャート（図３）のステップＳ７とＳ８の間に図示したようにステップＳ１７からＳ１９を挿入し、また、ステップＳ６でおまけが初回かどうかを示すフラグＦＬを設定するものである。
【００４０】
つまり、累積減算数ｂが減算限度数ｄを越えたとき（ステップＳ７，分岐Ｙ）、当日初回であれば（ステップＳ１７，分岐Ｙ）、ポイント数ａにおまけのポイントＡを加算し（ステップＳ１８）、フラグＦＬ＝１に変え（ステップＳ１９）、ステップＳ８へ進む。その他の動作は発明１と同様である。
【００４１】
以上の動作により、累積減算数ｂが減算限度数ｄを越えると、おまけのポイントがカードに加算されるので、利用者は得した気分になり、カードが購入し易くなり、前述した転売などによる収益悪化も防げる。
（５）発明５について
図７はこの発明によるゲート制御装置の主要動作を示すフローチャートである。
【００４２】
この発明は、発明４において、発明３と同様に累積減算数ｂの代りにゲートの累積ゲート通過回数ｅとし、減算限度数ｄの代わりにゲート通過限度数ｆとしたものである。したがって、同日の累積ゲート通過回数ｅが通過限度数ｆを超えると（ステップＳ７，分岐Ｙ）１回に限りおまけのポイント数Ａが加算される。
【００４３】
以上の動作により、発明４と同様に、利用者は得した気分になり、カードが購入し易くなり、前述した転売などによる収益悪化も防げる。
（６）発明６について
図８はこの発明によるゲート制御装置の主要動作を示すフローチャートである。
【００４４】
この発明は、発明１の累積減算数ｂが減算限度数ｄを越えるとフリー通行となる代わりに、その時点での累積ゲート通過回数に応じてゲート通過時の通過時減算ポイントを少なくする。このために、発明１のフローチャート（図３）のステップＳ７とＳ８の間に図示したようにステップＳ２０，Ｓ２１，Ｓ２２を追加している。このフローチャートでは、累積ゲート通過回数が１０回以上と２０回以上との２ケースの例を示したが、３ケース以上の場合や、累積ゲート通過回数をその他の基準回数で判断する場合でも動作は同様である。
【００４５】
すなわち、累積減算数ｂ減算限度数ｄを越えたとき（ステップＳ７，分岐Ｙ）、累積ゲート通過回数ｅに応じて減算ポイントｃを変えている。つまり、通常のゲート通過時減算ポイントｃが例えば５ポイントの場合、累積ゲート通過回数ｅが１０回以上２０回未満ならｃ１ポイント（例えば４ポイント）、２０回以上ならｃ２ポイント（例えば３ポイント）とする。
【００４６】
以上の動作により、累積減算数ｂが減算弦素数ｄを超えると、同日中はゲート通過時の減算ポイントが少なくなるので、カードが購入し易くなり、前述した転売などによる収益悪化も防げる。
（７）発明７について
図９はこの発明によるゲート制御装置の主要動作を示すフローチャートである。
【００４７】
この発明は、発明６において、発明３と同様に累積減算数ｂの代りに累積ゲート通過回数ｅとし、減算限度数ｄの代わりにゲート通過限度数ｆとしたものである。したがって、同日の累積ゲート通過回数ｅが通過限度数ｆを超えると、発明６と同様にして、同日中は累積ゲート通過回数に応じて減算ポイントｃが少なくなる。
以上の動作により、発明６と同様に、カードが購入し易くなり、前述した転売などによる収益悪化も防げる。
【００４８】
【発明の効果】
この発明によれば、ゲート通過のたびに所定ポイントがカードから減算されるカード式のゲート制御装置において、累積減算ポイントや累計ゲート通過回数が所定値以上になると同日に限りフリー通行にしたり、おまけのポイントを加算したりするので、従来の「一日券」と「回数券」の利点を兼ね備えたゲート制御ができ、利用者に得をした気分を与えられる。これにより、スキーヤー側からは買いやすいカードになり、スキー場経営者側からは先述した転売を防止できるので収益確保ができ、スキー場の集客確保にもつながる。
【図面の簡単な説明】
【図１】この発明の一実施の形態を示す構成図
【図２】カードに記憶される主要データのフォーマット例を示す図
【図３】発明１によるゲート制御装置の動作を示すフローチャート
【図４】発明２によるゲート制御装置の動作を示すフローチャート
【図５】発明３によるゲート制御装置の動作を示すフローチャート
【図６】発明４によるゲート制御装置の動作を示すフローチャート
【図７】発明５によるゲート制御装置の動作を示すフローチャート
【図８】発明６によるゲート制御装置の動作を示すフローチャート
【図９】発明７によるゲート制御装置の動作を示すフローチャート
【符号の説明】
１…カード、２…ゲート装置部、３…主制御部、４…通信機能部、５…記憶部、６…時計部、７…データ入力部、８…フラッパ部、９…センサ部。
【図１】
0003684905.tif 000002
【図２】
0003684905.tif 000003
【図３】
0003684905.tif 000004
【図４】
0003684905.tif 000005
【図５】
0003684905.tif 000006
【図６】
0003684905.tif 000007
【図７】
0003684905.tif 000008
【図８】
0003684905.tif 000009
【図９】
0003684905.tif 000010